(57)【特許請求の範囲】
【請求項１】
開口部を対向させた円弧形の錠本体内に、周面にラックを具えた円弧形の閂杆を摺動自在に嵌装する一方、錠本体の一側に、開口部を一端に具えた有底筒形の収容部を形成し、該収容部内に、シリンダー錠機構を回転可能に内蔵した錠ケースを摺動自在に嵌装するとともに、シリンダー錠機構のロックレバーの外端部を収容部の内面に具えた施錠ガイド溝に嵌合させ、錠ケースの側面に形成したラック部と上記閂杆のラックとの間にアイドルギヤを介設し、該アイドルギヤを介して上記錠ケースの進退動作に上記閂杆の施錠位置への前進と開錠位置への後退を伝動させるように構成したことを特徴とする自転車用リング錠。
【請求項２】
前記筒形の収容部の底部と、前記錠ケースの内端部との間にコイルばねを介設し、前記閂杆の開錠位置への復帰を上記コイルばねに付勢させるようにしたことを特徴とする請求項１記載の自転車用リング錠。
【発明の詳細な説明】
【０００１】
【産業上の利用分野】
本発明は、両端に開口部を対向させた円弧形の錠本体内に、ほぼ同径の円弧形の閂杆を嵌装した自転車用リング錠に関し、上記閂杆をギヤの伝動機構によって進退させるようにしたことを特長とするものである。
【０００２】
【従来の技術】
従来のこの種の自転車用リング錠には、例えば本出願人の先願に特開２０００−５４７１０号公報がある。
上記先願を含めて従来のリング錠は、一般に、錠本体内に牽引ばねとともに閂杆を嵌装し、錠本体の側面に設けた円弧形の溝から、上記閂杆に基端部を連結した操作摘みを臨出させる必要があった。そのため、自転車に取り付けた錠本体内に雨水が侵入し易く、さびるなどして不具合を起こし易いという欠点があった。
また、従来のリング錠は、施錠に際して操作摘みを押し下げる場合に、牽引ばねの抗力によって指先を痛くしたり、手がすべって操作摘みから離れた時に、ばねに付勢された摘みが強く当たって怪我をする場合があるなどの危険があった。
【０００３】
さらに従来のリング錠には、車体構造と取付け位置の関係から操作摘みが押し下げ難くなることがあったり、開錠時にキーを挿入して回すと、ばねに牽引される閂杆が復帰位置に設けたストッパーと勢いよく当たって衝撃音を発したり、その際に操作摘みが指先に当たり易いなどの危険があり、安全面への配慮に劣る欠点もあった。
【０００４】
【発明が解決しようとする課題】
以上のことから本発明が解決しようとする課題は、操作摘みの付設を廃して錠本体に溝を設けなくても済むようにしたり、より安全な施錠、開錠操作ができるようにしたリング錠を開発することにある。
【０００５】
【課題を解決するための手段】
上記の課題を解決する手段として本発明は、開口部を対向させた円弧形の錠本体内に、周面にラックを具えた円弧形の閂杆を摺動自在に嵌装する一方、錠本体の一側に、開口部を一端に具えた有底筒形の収容部を形成し、該収容部内に、シリンダー錠機構を回転可能に内蔵した錠ケースを摺動自在に嵌装するとともに、シリンダー錠機構のロックレバーの外端部を収容部の内面に具えた施錠ガイド溝に嵌合させ、錠ケースの側面に形成したラック部と上記閂杆のラックとの間にアイドルギヤを介設し、該アイドルギヤを介して上記錠ケースの進退動作に上記閂杆の施錠位置への前進と開錠位置への後退を伝動させるように構成したことを特徴とする自転車用リング錠を提供するものである。
【０００６】
上記のように構成した本発明によれば、閂杆を施錠位置へ移動させるために器体外に突出する操作摘みと、操作摘みを突出させるための溝の付設が省けるので、錠ケースの嵌入部と錠本体の両端の開口部を除けば雨水などの侵入が防止できるほとんど完全な密閉形の錠本体を形成することができる。
また、錠ケースの出入方向の動作で閂杆の施錠、開錠が行われるので、前記した従来品の危険性のすべて除去した安全性の高いリング錠を製作できる。
【０００７】
また、錠本体に設ける筒形の収容部の底部と錠ケースの内端部との間にコイルばねを介設して、閂杆の開錠位置への復帰を上記コイルばねに付勢させるようにした請求項２の発明は、閂杆の開錠位置への復帰が、シリンダー錠機構のロックレバーの開放とともにそれまで付勢を制限されていたコイルばねの畜力によって行われるので、錠ケースを後退操作してラックとアイドルギヤを逆回転させる操作を省くことができるとともに、閂杆の復帰動作をより速くさせることができる。この場合、コイルばねの復元力はアイドルギヤ等ギヤ伝動により緩衝されて、前記従来品のような危険性はともなわない。
【０００８】
【実施例】
図１は、本発明の実施例の開錠状態を示す一部切欠正面図、図２は、開錠状態を示す一部切欠正面図、図３は、図１のＡ−Ａ’線に沿った断面図、図４は、斜視図である。
【０００９】
図において、１は、周縁部で互いに嵌合し合って密閉形の器体を形成するようそれぞれ断面コ字形のベース１ａとカバー１ｂとからなり、両端の開口部２ａ、２ｂを左右で対向させて円弧形に形成された錠本体、３は、ラック４を外周面の所定区間に一体に設けて円弧形に形成され、錠本体１内に摺動自在に嵌装された閂杆、５は、図示左端に開口部５ａを設けて、錠本体１の一側（図示上部）に形成した有底筒形の収容部、６は、収容部６内に摺動可能に嵌装された錠ケース、７は、錠ケース６内に所定角度の回転を可能にして嵌装され、内端部に備えたロックレバー８の外端部を錠ケース６の側面に突出させ、先端を収容部５の内周面に設けた施錠ガイド溝９に係合させたシリンダー錠機構、１０は、シリンダー錠機構７を施錠、開錠操作するキーである。
【００１０】
１１は、錠ケース６の側面（図示下部側面）に閂杆３の摺動方向に沿って一体に形成したラック部、１２は、このラック部１１と閂杆３の周面の前記ラック４との間に介設したアイドルギヤである。アイドルギヤ１２は、図３に示すように、上段のピニオン１２ａを錠ケース６と一体のラック部１１に噛合させ、下段の大径ギヤ１２ｂを閂杆３と一体のラック４に噛合させることにより、錠ケース６の進退動作と閂杆３の進退動作を連動させる。
【００１１】
なお図中、１３は、収容部５の底部と錠ケース内のシリンダー錠機構７の内端部との間に介設されて常時錠ケース６を突出方向に付勢するコイルばね、１４は、収容部５の軸線方向に沿ってその内面と錠ケース６の側面との間に設けた凹条１４ａと凸条１４ｂとからなる錠ケース６の摺動用ガイド部、１５は、閂杆３のラック４と噛合するよう錠本体１に軸受させた閂杆３の摺動用ガイドギヤ、１６は、シリンダー錠機構７を錠ケース６内に掛止させるストッパー片である。
【００１２】
収容部５の内面に設けた前記施錠ガイド溝９は、図１、２に示すように、錠ケース６の進退方向と軸線を同じくした縦長の摺動区間ａを有し、その前後に互いに逆回転方向に屈折する施錠掛止部ｂと開錠掛止部ｃとを有する。
【００１３】
次に以上の構成を備えた実施例の作動について説明する。
図１に示すように、開錠掛止部ｃにロックレバー８の外端部が係合しているとき、錠ケース６とシリンダー錠機構７は、収容部５から適宜長に抜き出た状態にあって、図示のように、閂杆３を開錠位置に保持し、錠ケース６またはキー１０が回転操作されない限りリング錠は開錠状態を維持する。
【００１４】
次いで、キー１０を操作して錠ケース６を反時計回りに回転し、ロックレバー８の外端部を施錠ガイド溝９の摺動区間ａの始端に位置させて錠ケース６を前進させると、ラック部１１とアイドルギヤ１２とラック４との伝動動作により閂杆３が前進して図２に示すように開口部２ａ、２ｂ間を閉鎖する。
この施錠状態は、キー１０をさらに反時計回りに操作して、ロックレバー８の外端部を施錠ガイド溝９の施錠掛止部ｂに掛止させることによって保持される。キー１０はこの状態で抜き出して携行することができ、キー１０の抜き出しによってシリンダー錠機構７はロックレバー８をロック状態に維持する。
【００１５】
図２の施錠状態から、キー１０を時計回りに回転させ、ロックレバー８の外端部を摺動区間ａの終端に位置させると、錠ケース６の後退動作が可能になり、キー１０と共に手前側に摺動させることで、アイドルギヤ１２を逆回転させ、閂杆３を開錠位置に復帰させることもできるが、この実施例においては、施錠動作時に畜力させたコイルばね１３の復元力を用いることによって、迅速な開錠動作ができるようにしている。なお、開錠位置に復帰した閂杆３は、キー１０をさらに時計回りに回転させて、ロックレバー８の外端部を開錠掛止部ｃに掛止させることにより保持される。
【００１６】
実施例に採用した錠ケース６とシリンダー錠機構７および施錠ガイド溝９は、従来の自転車用リング錠にも用いられている公知のシリンダー錠機構を採用しているので、それらの構造と作動の詳細な説明については省略する。
また、本発明の実施に際し、錠本体１に対する錠ケース６の収容部５の形成位置は、実施例の態様に限定されるものではなく、錠本体１の側面に沿って適宜にその位置ならびにその構造を設計変更する場合もある。
【００１７】
【発明の効果】
前記のように構成し、上記のように用いられるようにした本発明自転車用リング錠は、閂杆の進退を錠ケースの摺動に連動するギヤ機構により行わせるようにしたので、錠本体を密閉形にすることができるとともに、操作摘みと円弧形の溝を省くことによって、器体内への雨水等の侵入を最小限に止めてリング錠の耐久性を向上させることができる。また、外観がシンプルになるとともに安全性に富むものとなり、従来品にないリング錠の施錠操作、開錠操作が需要者の関心を集めて購買意欲を高めることができるなど多くの優れた効果がある。
【図面の簡単な説明】
【図１】図１は、実施例の開錠状態を示す一部切欠正面図
【図２】図２は、施錠状態を示す一部切欠正面図
【図３】図３は、Ａ−Ａ’線に沿った一部切欠断面図
【図４】図４は、実施例の斜視図である。
【符号の説明】
１  錠本体（１ａ  ベース、１ｂ  カバー）
２  開口部（２ａ、２ｂ）
３  閂杆
４  ラック
５  収容部（５ａ  開口部）
６  錠ケース
７  シリンダー錠機構
８  ロックレバー
９  施錠ガイド溝（ａ  摺動区間、ｂ  施錠掛止部、ｃ  開錠掛止部）
１０  キー
１１  ラック部
１２  アイドルギヤ（１２ａ  ピニオンギヤ、１２ｂ  大径ギヤ）
１３  コイルばね
１４  摺動ガイド部（１４ａ  凹条、１４ｂ  凸条）
１５  ガイドギヤ
１６  ストッパー片
【図１】
0004441821.tif 000002
【図２】
0004441821.tif 000003
【図３】
0004441821.tif 000004
【図４】
0004441821.tif 000005